(57)【要約】【課題】表示モジュールを駆動する際に用いられる信号を効率的に表示モジュールに供給する。【解決手段】表示モジュールを駆動するための駆動装置は、表示モジュールの駆動タイミングを規定する駆動タイミング信号を取得するタイミング信号取得部と、駆動タイミング信号の波形を特定可能な識別信号を生成する識別信号生成部と、映像信号における有効な信号部分以外の部分に識別信号を付加する信号合成部と、識別信号が付加された映像信号を取得し、識別信号に基づき駆動タイミング信号を再生し、再生された駆動タイミング信号と映像信号とを表示モジュールに供給する信号再生部とを備える。【選択図】図２
2009163157.tif 000002
【特許請求の範囲】
【請求項１】
映像信号に基づき画像を表示する表示モジュールを駆動するための駆動装置であって、
前記表示モジュールの駆動タイミングを規定する少なくとも１つの駆動タイミング信号を取得するタイミング信号取得部と、
前記取得された駆動タイミング信号の波形を特定可能な識別信号を生成する識別信号生成部と、
前記映像信号における有効な信号部分以外の部分に前記識別信号を付加する信号合成部と、
前記識別信号が付加された前記映像信号を取得し、前記識別信号に基づき前記駆動タイミング信号を再生し、再生された前記駆動タイミング信号と前記映像信号とを前記表示モジュールに供給する信号再生部と、を備える、駆動装置。
【請求項２】
請求項１に記載の駆動装置であって、
前記駆動タイミング信号は、画像の１ライン毎に波形が変化しうる信号であり、
前記信号合成部は、前記識別信号を、前記映像信号の有効な信号部分以外の部分としての帰線期間に対応した部分に付加する、駆動装置。
【請求項３】
請求項１または請求項２に記載の駆動装置であって、
前記識別信号生成部は、複数の前記駆動タイミング信号の波形の組み合わせを特定可能な前記識別信号を生成する、駆動装置。
【請求項４】
請求項１ないし請求項３のいずれかに記載の駆動装置であって、
前記信号再生部は、前記信号合成部と前記表示モジュールとの間の信号経路を形成するケーブル上に配置されている、駆動装置。
【請求項５】
請求項１ないし請求項４のいずれかに記載の駆動装置であって、
前記信号再生部は、前記識別信号と前記駆動タイミング信号の波形との対応を定めた情報を用いて、前記駆動タイミング信号を再生する、駆動装置。
【請求項６】
請求項１ないし請求項５のいずれかに記載の駆動装置であって、
前記表示モジュールは複数の画素を有する液晶パネルを含み、
前記駆動タイミング信号は、極性を指定する信号と、前記画素に対する予備的な書き込みを行うタイミングを指定する信号と、前記画素に対する前記映像信号に対応した書き込みを行うタイミングを指定する信号と、の少なくとも１つを含む、駆動装置。
【請求項７】
請求項１ないし請求項６のいずれかに記載の駆動装置と、
前記表示モジュールと、を備える、表示装置。
【請求項８】
映像信号に基づき画像を表示する表示モジュールを駆動するための駆動方法であって、
（ａ）前記表示モジュールの駆動タイミングを規定する少なくとも１つの駆動タイミング信号を取得する工程と、
（ｂ）前記取得された駆動タイミング信号の波形を特定可能な識別信号を生成する工程と、
（ｃ）前記映像信号における有効な信号部分以外の部分に前記識別信号を付加する工程と、
（ｄ）前記識別信号が付加された前記映像信号を取得し、前記識別信号に基づき前記駆動タイミング信号を再生し、再生された前記駆動タイミング信号と前記映像信号とを前記表示モジュールに供給する工程と、を備える、駆動方法。
【請求項９】
映像信号に基づき画像を表示する表示モジュールを駆動するためのコンピュータプログラムであって、
前記表示モジュールの駆動タイミングを規定する少なくとも１つの駆動タイミング信号を取得するタイミング信号取得機能と、
前記取得された駆動タイミング信号の波形を特定可能な識別信号を生成する識別信号生成機能と、
前記映像信号における有効な信号部分以外の部分に前記識別信号を付加する信号合成機能と、
前記識別信号が付加された前記映像信号を取得し、前記識別信号に基づき前記駆動タイミング信号を再生し、再生された前記駆動タイミング信号と前記映像信号とを前記表示モジュールに供給する信号再生機能と、をコンピュータに実現させる、コンピュータプログラム。
【発明の詳細な説明】
【技術分野】
【０００１】
本発明は、表示モジュールの駆動装置および駆動方法に関する。
【背景技術】
【０００２】
液晶パネル等の表示モジュールを用いて画像を表示するプロジェクタが広く使用されている。近年、プロジェクタの液晶パネルの駆動の際には、種々の制御を行うために、映像信号や同期信号の他に、液晶パネルの駆動タイミングを規定する駆動タイミング信号が液晶パネルに供給される場合がある。駆動タイミング信号としては、例えば、駆動電圧の極性を指定する極性指定信号や、クロストーク等のノイズの発生を抑制するために画素に対する予備的な書き込みを行うタイミングを指定するノイズリダクション信号、画素に対する映像信号に対応した書き込みを行うタイミングを指定する書き込み許可タイミング信号、表示モジュールの画素ラインを選択するためのライン選択信号等が挙げられる（例えば特許文献１参照）。
【０００３】
【特許文献１】特開２００４−１７７９３０号公報
【発明の開示】
【発明が解決しようとする課題】
【０００４】
このように、液晶パネルに供給される信号数は増大する傾向にあった。なお、このような問題は、プロジェクタの液晶パネルに限らず、映像信号に基づき画像を表示する表示モジュールを駆動する場合に共通する問題であった。
【０００５】
本発明は、上述した従来の課題の少なくとも一部を解決するためになされたものであり、表示モジュールを駆動する際に用いられる信号を効率的に表示モジュールに供給することを可能とする技術を提供することを目的とする。
【課題を解決するための手段】
【０００６】
上記課題の少なくとも一部を解決するために、本発明は、以下の形態または適用例として実現することが可能である。
【０００７】
［適用例１］映像信号に基づき画像を表示する表示モジュールを駆動するための駆動装置であって、前記表示モジュールの駆動タイミングを規定する少なくとも１つの駆動タイミング信号を取得するタイミング信号取得部と、前記取得された駆動タイミング信号の波形を特定可能な識別信号を生成する識別信号生成部と、前記映像信号における有効な信号部分以外の部分に前記識別信号を付加する信号合成部と、前記識別信号が付加された前記映像信号を取得し、前記識別信号に基づき前記駆動タイミング信号を再生し、再生された前記駆動タイミング信号と前記映像信号とを前記表示モジュールに供給する信号再生部と、を備える、駆動装置。
【０００８】
この駆動装置では、駆動タイミング信号の波形を特定可能な識別信号が生成され、映像信号における有効な信号部分以外の部分に付加される。また、識別信号が付加された映像信号に基づき駆動タイミング信号が再生され、再生された駆動タイミング信号と映像信号とが表示モジュールに供給される。従って、この駆動装置では、表示モジュールを駆動する際に用いられる信号を効率的に表示モジュールに供給することできる。
【０００９】
［適用例２］適用例１に記載の駆動装置であって、前記駆動タイミング信号は、画像の１ライン毎に波形が変化しうる信号であり、前記信号合成部は、前記識別信号を、前記映像信号の有効な信号部分以外の部分としての帰線期間に対応した部分に付加する、駆動装置。
【００１０】
この駆動装置では、駆動タイミング信号が画像の１ライン毎に波形が変化しうる信号であり、識別信号が映像信号の帰線期間に対応した部分に付加されるため、画像の１ライン毎に変化しうる複雑な制御を行うための駆動タイミング信号の供給についても効率化を図ることができる。
【００１１】
［適用例３］適用例１または適用例２に記載の駆動装置であって、前記識別信号生成部は、複数の前記駆動タイミング信号の波形の組み合わせを特定可能な前記識別信号を生成する、駆動装置。
【００１２】
この駆動装置では、複数の駆動タイミング信号の波形の組み合わせを特定可能な識別信号が生成されるため、複数の駆動タイミング信号を効率的に供給することができる。
【００１３】
［適用例４］適用例１ないし適用例３のいずれかに記載の駆動装置であって、前記信号再生部は、前記信号合成部と前記表示モジュールとの間の信号経路を形成するケーブル上に配置されている、駆動装置。
【００１４】
この駆動装置では、ケーブルの入力側のコネクタのピン数を削減することができ、これにより、ノイズの抑制やコストダウンを図ることができる。
【００１５】
［適用例５］適用例１ないし適用例４のいずれかに記載の駆動装置であって、前記信号再生部は、前記識別信号と前記駆動タイミング信号の波形との対応を定めた情報を用いて、前記駆動タイミング信号を再生する、駆動装置。
【００１６】
この駆動装置では、識別信号と駆動タイミング信号の波形との対応を定めた情報を用いて信号再生部が駆動タイミング信号を再生することができる。
【００１７】
［適用例６］適用例１ないし適用例５のいずれかに記載の駆動装置であって、前記表示モジュールは複数の画素を有する液晶パネルを含み、前記駆動タイミング信号は、極性を指定する信号と、前記画素に対する予備的な書き込みを行うタイミングを指定する信号と、前記画素に対する前記映像信号に対応した書き込みを行うタイミングを指定する信号と、の少なくとも１つを含む、駆動装置。
【００１８】
この駆動装置では、極性を指定する信号と、画素に対する予備的な書き込みを行うタイミングを指定する信号と、画素に対する映像信号に対応した書き込みを行うタイミングを指定する信号と、の少なくとも１つを含む駆動タイミング信号を効率的に表示モジュールに供給することできる。
【００１９】
［適用例７］適用例１ないし適用例６のいずれかに記載の駆動装置と、前記表示モジュールと、を備える、表示装置。
【００２０】
この表示装置では、表示モジュールを駆動する際に用いられる信号を効率的に表示モジュールに供給することできる。
【００２１】
なお、本発明は、種々の態様で実現することが可能であり、例えば、表示モジュールの駆動方法および装置、画像表示方法および装置、プロジェクタおよびその制御方法、これらの装置または方法の機能を実現するためのコンピュータプログラム、そのコンピュータプログラムを記録した記録媒体、そのコンピュータプログラムを含み搬送波内に具現化されたデータ信号、等の形態で実現することができる。
【発明を実施するための最良の形態】
【００２２】
次に、本発明の実施の形態を実施例に基づいて以下の順序で説明する。
Ａ．実施例：
Ｂ．変形例：
【００２３】
Ａ．実施例：
図１は、本発明の実施例におけるプロジェクタ１００の構成を概略的に示す説明図である。プロジェクタ１００は、画像信号に基づき画像を表す画像光を投写して、スクリーンＳＣなどの投写面上に画像を表示する画像表示装置である。プロジェクタ１００は、画像信号入力部１１０と、制御部１２０と、表示モジュールとしての液晶パネル１７０と、光源ユニット１６０と、投写光学系１８０と、ユーザ指示入力部１９０と、を備えている。
【００２４】
なお、プロジェクタ１００の各構成要素の機能は、プロジェクタ１００の有するＣＰＵ（図示せず）が所定のコンピュータプログラムを実行することにより実現される。あるいは、プロジェクタ１００の各構成要素は、専用のデバイスや回路等のハードウェアにより構成される。
【００２５】
画像信号入力部１１０は、画像信号を供給するパーソナルコンピュータＰＣからコンポジット信号やＳビデオ信号、コンポーネント信号などの画像信号を入力し、制御部１２０で処理可能な信号に変換する処理（例えばＡ／Ｄ変換やＩ／Ｐ変換）を行う。なお、本実施例の画像信号には、表示画像の各位置における色を表す信号である映像信号と、映像信号に基づく画像表示のタイミングを定める同期信号と、が含まれる。
【００２６】
制御部１２０は、プロジェクタ１００全体の動作を制御して、プロジェクタ１００による画像表示を実現する。また、制御部１２０は、表示モジュールとしての液晶パネル１７０を駆動する表示モジュール駆動部１３０を含む。表示モジュール駆動部１３０は、画像信号入力部１１０から画像信号（映像信号および同期信号）を受領して、画像信号に基づき画像表示のための種々の処理（例えば解像度変換やフレームレート変換）を実行する。また、表示モジュール駆動部１３０は、液晶パネル１７０を駆動するための種々の信号を、入力側および出力側のコネクタ１４２および１４４を有するケーブル１４０を介して液晶パネル１７０に供給する。表示モジュール駆動部１３０から液晶パネル１７０に供給される各信号については、後に詳述する。
【００２７】
液晶パネル１７０は、複数の画素を有し、表示モジュール駆動部１３０から供給される映像信号Ｉｄに応じた駆動電圧に基づき各画素を駆動する。すなわち、液晶パネル１７０は、供給された駆動電圧に応じて各画素の液晶を動作させることにより、光源ユニット１６０から照射された照明光を画像を表す画像光へと変調するためのパネル画像をパネル面に形成する。投写光学系１８０は、液晶パネル１７０により画像光へと変調された光をスクリーンＳＣに向けて投写する。
【００２８】
ユーザ指示入力部１９０は、リモコンＲＣを通じたユーザからの指示を受領し、制御部１２０等にその指示を伝える。なお、ユーザ指示入力部１９０は、リモコンＲＣ以外の他のユーザ指示手段（例えば操作パネル）を通じてユーザからの指示を受領するとしてもよい。
【００２９】
表示モジュール駆動部１３０は、信号制御部１３２と、信号合成部１３４と、タイミング制御部１３６と、を含む。信号制御部１３２は、入力された画像信号に基づき、映像信号Ｉｄ、ドットクロック信号ＤＣＬＫ、同期信号Ｓｙｎｃを生成する。図２は、液晶パネルの駆動に用いられる信号の波形の一例を示す説明図である。図２には、各信号について、液晶パネル１７０の画素の約１ライン分に相当する期間の波形が示されている。同期信号Ｓｙｎｃは、液晶パネル１７０の画素ラインを１ラインずつ選択するための信号であり、図２に示すように、所定の周期で短期間Ｌレベルとなる信号である。映像信号Ｉｄは、液晶パネル１７０の各画素の位置に対応した画像の色（例えばＲ値、Ｇ値、Ｂ値の組み合わせ）を表す信号であり、図２に示すように、同期信号ＳｙｎｃがＬレベルとなる周期毎に画素１ライン分の有効な信号が含まれている。映像信号Ｉｄの有効な信号部分以外の部分は、帰線期間に対応した部分である。ここで、有効な信号とは、画像の表示に実際に用いられる信号を意味している。ドットクロック信号ＤＣＬＫ（図示せず）は、液晶パネル１７０の駆動周波数を規定する信号である。
【００３０】
信号制御部１３２は、生成した映像信号Ｉｄを信号合成部１３４に供給する。また、信号制御部１３２は、生成したドットクロック信号ＤＣＬＫおよび同期信号Ｓｙｎｃをタイミング制御部１３６に供給する。
【００３１】
タイミング制御部１３６は、タイミング信号生成部１３７と、識別信号生成部１３８と、を含む。タイミング信号生成部１３７は、ドットクロック信号ＤＣＬＫおよび同期信号Ｓｙｎｃに基づき、駆動タイミング信号ＤＴＳを生成する。駆動タイミング信号ＤＴＳは、表示モジュールとしての液晶パネル１７０の駆動タイミングを規定する信号である。本実施例のタイミング信号生成部１３７は、本発明におけるタイミング信号取得部に相当する。
【００３２】
本実施例では、図２に示すように、駆動タイミング信号ＤＴＳは、極性指定信号ＰＳＳと、ノイズリダクション信号ＮＲＳと、書き込み許可タイミング指定信号ＷＡＳと、を含む。極性指定信号ＰＳＳは、液晶パネル１７０が交流駆動されるように、各ラインにおける駆動電圧の極性を指定する信号である。ノイズリダクション信号ＮＲＳは、クロストーク等のノイズの発生を抑制するために、各画素に対する映像信号Ｉｄに基づく書き込みの前の予備書き込みを行うタイミングを指定する信号である。書き込み許可タイミング指定信号ＷＡＳは、各画素に対する映像信号Ｉｄに基づく書き込みを許可するタイミングを指定する信号である。これらの信号は、画像の１ライン毎に波形が変化しうる信号である。なお、駆動タイミング信号ＤＴＳは、表示モジュールとしての液晶パネル１７０の駆動タイミングを規定する信号であれば、図２に示した信号以外の信号（例えば、表示モジュールとしての液晶パネル１７０の画素ラインを選択するためのライン選択信号）を含むとしてもよい。
【００３３】
識別信号生成部１３８（図１）は、同期信号がＬレベルとなる周期毎に、すなわち画像の１ライン分に相当する期間（帰線期間を含む）毎に、駆動タイミング信号ＤＴＳの波形を特定可能な識別信号ＳＳを生成する。すなわち、図２に示す２つの一点鎖線間の期間毎に、識別信号ＳＳが生成される。ここで信号の波形とは、信号の各タイミングにおけるレベルを意味する。識別信号生成部１３８は、駆動タイミング信号ＤＴＳの波形と識別信号ＳＳとの予め設定された対応関係の情報を有しており、当該関係に従い識別信号ＳＳを生成する。本実施例では、駆動タイミング信号ＤＴＳは３つの信号（極性指定信号ＰＳＳ、ノイズリダクション信号ＮＲＳ、書き込み許可タイミング指定信号ＷＡＳ）を含むため、識別信号生成部１３８は、３つの信号の波形の組み合わせを特定可能な識別信号ＳＳを生成する。タイミング制御部１３６は、生成された識別信号ＳＳを信号合成部１３４に供給する。
【００３４】
信号合成部１３４は、映像信号Ｉｄにおける有効な信号部分以外の部分に識別信号ＳＳを付加する。識別信号ＳＳが付加された映像信号Ｉｄを映像信号Ｉｄ＋と表す。図２に示すように、映像信号Ｉｄ＋において、識別信号ＳＳは、識別信号ＳＳに対応したラインの有効信号部分の前の帰線期間に配置される。
【００３５】
タイミング制御部１３６（図１）は、ドットクロック信号ＤＣＬＫおよび同期信号Ｓｙｎｃをケーブル１４０を介して液晶パネル１７０に供給する。一方、信号合成部１３４は、識別信号ＳＳが付加された映像信号Ｉｄ＋を液晶パネル１７０に供給するためにケーブル１４０の信号入力側のコネクタ１４２に入力する。ここで、ケーブル１４０上には、信号再生部１５０が配置されており、コネクタ１４２に入力された映像信号Ｉｄ＋は、信号再生部１５０に供給される。
【００３６】
信号再生部１５０は、識別信号ＳＳが付加された映像信号Ｉｄ＋を受領し、識別信号ＳＳに基づき駆動タイミング信号ＤＴＳを再生する。具体的には、信号再生部１５０は、識別信号ＳＳと駆動タイミング信号ＤＴＳの波形との予め設定された対応関係の情報を有しており、当該情報を用いて、識別信号ＳＳに対応付けられた駆動タイミング信号ＤＴＳを特定する。本実施例では、駆動タイミング信号ＤＴＳは３つの信号（極性指定信号ＰＳＳ、ノイズリダクション信号ＮＲＳ、書き込み許可タイミング指定信号ＷＡＳ）を含むため、信号再生部１５０は当該３つの信号を再生する。信号再生部１５０は、再生した駆動タイミング信号ＤＴＳと、識別信号ＳＳが付加されていない映像信号Ｉｄと、を液晶パネル１７０に供給する。
【００３７】
液晶パネル１７０は、ドットクロック信号ＤＣＬＫ、同期信号Ｓｙｎｃ、映像信号Ｉｄ、駆動タイミング信号ＤＴＳを用いて、パネル面にパネル画像を生成する。
【００３８】
以上説明したように、本実施例のプロジェクタ１００では、駆動タイミング信号ＤＴＳの波形を特定可能な識別信号ＳＳが生成され、生成された識別信号ＳＳが映像信号Ｉｄに付加される。このとき、識別信号ＳＳは、映像信号Ｉｄにおける有効な信号部分以外の部分に付加されるため、識別信号ＳＳの信号により映像信号Ｉｄの有効な信号部分が影響を受けることは無い。また、識別信号ＳＳが付加された映像信号Ｉｄ＋は信号再生部１５０に供給され、信号再生部１５０において駆動タイミング信号ＤＴＳが再生され、再生された駆動タイミング信号ＤＴＳは液晶パネル１７０に供給される。そのため、信号合成部１３４から信号再生部１５０までは、３つの駆動タイミング信号ＤＴＳと映像信号Ｉｄとが１つの信号として供給されることとなる。従って、本実施例のプロジェクタ１００では、液晶パネル１７０を駆動する際に用いられる信号を効率的に液晶パネル１７０に供給することができる。
【００３９】
また、本実施例では、同期信号がＬレベルとなる周期毎に（すなわち画像の１ライン分に相当する期間（帰線期間を含む）毎に）識別信号ＳＳが生成され、識別信号ＳＳが当該ラインに対応した帰線期間に付加されるため、画像の１ライン毎に変化しうる複雑な制御を行うための駆動タイミング信号ＤＴＳの供給についても効率化を図ることができる。
【００４０】
また、本実施例では、３つの駆動タイミング信号ＤＴＳの波形の組み合わせを特定可能な１つの識別信号ＳＳが用いられるため、複数の駆動タイミング信号ＤＴＳを効率的に液晶パネル１７０に供給することができる。
【００４１】
また、本実施例では、信号再生部１５０がケーブル１４０上に配置されており、信号再生部１５０までは識別信号ＳＳが付加された映像信号Ｉｄ＋が供給されるため、ケーブル１４０の入力側のコネクタ１４２のピン数を削減することができる。これにより、ノイズの抑制やコストダウンを図ることができる。
【００４２】
Ｂ．変形例：
なお、この発明は上記の実施例や実施形態に限られるものではなく、その要旨を逸脱しない範囲において種々の態様において実施することが可能であり、例えば次のような変形も可能である。
【００４３】
Ｂ１．変形例１：
上記実施例では、駆動タイミング信号ＤＴＳが極性指定信号ＰＳＳとノイズリダクション信号ＮＲＳと書き込み許可タイミング指定信号ＷＡＳの３つの信号を含むとしているが、駆動タイミング信号ＤＴＳは、液晶パネル１７０の駆動タイミングを規定する信号であれば、これらの信号に限られることはない。また駆動タイミング信号ＤＴＳは３つの信号である必要はなく、１つの信号であってもよいし、４つ以上の信号を含んでいてもよい。また、駆動タイミング信号ＤＴＳに含まれる信号は、必ずしも画像の１ライン毎に波形が変化しうる信号である必要はないが、駆動タイミング信号ＤＴＳに含まれる信号の少なくとも１つが画像の１ライン毎に波形が変化しうる信号である場合には、画像の１ライン毎に変化しうる複雑な制御を行うための駆動タイミング信号ＤＴＳの液晶パネル１７０への供給の効率化を図ることができる。
【００４４】
また、上記実施例では、タイミング信号生成部１３７が駆動タイミング信号ＤＴＳを生成するとしているが、タイミング信号生成部１３７は駆動タイミング信号ＤＴＳを外部から取得するものとしてもよい。また、上記実施例における駆動タイミング信号ＤＴＳに含まれる各信号の信号波形（図２参照）は、あくまで一例であり、各信号の信号波形は種々変形可能である。
【００４５】
Ｂ２．変形例２：
上記実施例では、駆動タイミング信号ＤＴＳに含まれる３つの信号の組み合わせに対応した１つの識別信号ＳＳが用いられているが、３つの信号のそれぞれについて１つの識別信号ＳＳが生成され、生成された３つの識別信号ＳＳが映像信号Ｉｄの帰線期間に付加されるとしてもよい。また、識別信号ＳＳは、映像信号Ｉｄにおける有効な信号部分以外の部分であれば帰線期間に対応した部分以外の部分に付加されてもよい。例えば、映像信号Ｉｄが、１ライン分の有効な信号部分に対応した期間中に画像表示に用いられない無効な信号部分を含むような信号である場合には、当該無効な信号部分に識別信号ＳＳが付加されるとしてもよい。
【００４６】
Ｂ３．変形例３：
上記実施例では、信号再生部１５０が信号再生部１５０と液晶パネル１７０との間の信号経路を形成するケーブル１４０上に配置されているが、信号再生部１５０は必ずしもこのように配置されている必要はない。例えば、信号再生部１５０がケーブル１４０のコネクタ１４２よりも表示モジュール駆動部１３０側に配置されていてもよいし、ケーブル１４０のコネクタ１４４よりも液晶パネル１７０側に配置されていてもよい。
【００４７】
Ｂ４．変形例４：
本発明は、液晶パネル１７０を用いたプロジェクタ１００に限らず、他の画像表示モジュール（例えばＤＭＤ（テキサス・インスツルメンツ社の商標））を用いたプロジェクタにも適用可能である。また、液晶パネル１７０は、１つのパネルのみを含む単板式パネルであってもよいし、複数の色成分（例えば赤成分、緑成分、青成分の３つの色成分）に対応した複数のパネルを有する複数板式のパネルであってもよい。また、プロジェクタ１００への画像信号の入力元は、パーソナルコンピュータＰＣに限らず、ＤＶＤプレーヤー等の他の装置であってもよい。また本発明は、プロジェクタ以外の他の画像表示装置（例えば液晶ディスプレイ）の表示モジュールの駆動にも適用可能である。
【００４８】
Ｂ５．変形例５：
上記実施例において、ハードウェアによって実現されていた構成の一部をソフトウェアに置き換えるようにしてもよく、逆に、ソフトウェアによって実現されていた構成の一部をハードウェアに置き換えるようにしてもよい。
【図面の簡単な説明】
【００４９】
【図１】本発明の実施例におけるプロジェクタ１００の構成を概略的に示す説明図である。
【図２】液晶パネルの駆動に用いられる信号の波形の一例を示す説明図である。
【符号の説明】
【００５０】
１００…プロジェクタ、１１０…画像信号入力部、１２０…制御部、１３０…表示モジュール駆動部、１３２…信号制御部、１３４…信号合成部、１３６…タイミング制御部、１３７…タイミング信号生成部、１３８…識別信号生成部、１４０…ケーブル、１４２…コネクタ、１４４…コネクタ、１５０…信号再生部、１６０…光源ユニット、１７０…液晶パネル、１８０…投写光学系、１９０…ユーザ指示入力部
【図１】
2009163157.tif 000003
【図２】
2009163157.tif 000004